(57)【要約】【課題】回転筒とガイド筒との間の傾きを抑えながら確実に係合することができ、組み立て性もよいレンズ鏡筒を提供する。【解決手段】直進筒１５とカム筒１４とは、光軸Ｉを中心として略対称に配置された２ヵ所の係止爪１４ｄを有した第１の係合部（１４ｄ，１５ｆ）と、第１の係合部とは光軸方向に離れた位置にあって、光軸Ｉを中心として略対称に配置された２ヵ所の係止爪１５ｄを有した第２の係合部（１５ｄ，１４ｆ）と、により相対的に回転可能に係合している。【選択図】                図２
2005017585.tif 000002
【特許請求の範囲】
【請求項１】
撮影レンズと、
固定筒と、
前記固定筒に対して少なくとも前記撮影レンズの光軸に沿った方向に移動するガイド筒と、
前記ガイド筒に対して前記光軸方向において規制されながら回転可能に係合し、前記固定筒に対して相対的に回転しながら前記光軸に沿った方向に前記ガイド筒と共に移動する回転筒と、
を備え、
前記ガイド筒と前記回転筒とは、
前記光軸を中心として略対称に配置された２ヵ所の係止爪を有した第１の係合部と、
前記第１の係合部とは前記光軸方向に離れた位置にあって、前記光軸を中心として略対称に配置された２ヵ所の係止爪を有した第２の係合部と、
により相対的に回転可能に係合していること、
を特徴とするレンズ鏡筒。
【請求項２】
請求項１に記載のレンズ鏡筒において、
前記第１の係合部及び前記第２の係合部の少なくとも一方は、バヨネット係合により係合していること、
を特徴とするレンズ鏡筒。
【請求項３】
請求項１又は請求項２に記載のレンズ鏡筒において、
前記第１の係合部と前記第２の係合部とは、前記光軸を中心とする回転方向の位置がずれて配置されていること、
を特徴とするレンズ鏡筒。
【請求項４】
請求項１から請求項３までのいずれか１項に記載のレンズ鏡筒において、
前記第１の係合部と前記第２の係合部とは、それぞれの係止爪を結ぶ線が略直交するように配置されていること、
を特徴とするレンズ鏡筒。
【発明の詳細な説明】
【０００１】
【発明の属する技術分野】
本発明は、カメラの交換レンズ等に用いられるレンズ鏡筒に関するものである。
【０００２】
【従来の技術】
カメラなどのレンズ鏡筒では、ズームレンズが主流となり、さらにズーム倍率の高倍率化が進んでいる。これに伴い、カム筒などの回転筒自体も撮影レンズの光軸に沿った方向に移動し、この回転筒をガイドするガイド筒が回転筒と共に光軸に沿った方向に移動するレンズ鏡筒がある。このようなレンズ鏡筒では、ガイド筒と回転筒とが相対的に回転しつつ光軸に沿った方向に一体的に移動するように、係合させて用いられている。
従来、この係合には、バヨネット式の係合が多く用いられていた。従来のバヨネット式による係合の場合、回転筒の回転量をなるべく多くとるために、係合する爪を２ヵ所としていた。
【０００３】
【発明が解決しようとする課題】
しかし、前述したバヨネット式の係合では、回転量を優先してバヨネット爪を２ヵ所しか設けていないことから、係合している部分にガタが生じると、回転筒とガイド筒との間に、係合部分のガタ量の２倍以上の傾きが発生してしまうおそれがあり、そのような傾きが発生してしまうと、光学性能に悪影響を与えてしまうという問題があった。
【０００４】
また、スナップフィット式の係合では、係止爪を撓まして組み立てを行うことから、組み立て性が悪かったり、誤って係止爪を変形させてしまったり、係合が外れやすかったりするという問題があり、安定した係合が得られない場合があった。
【０００５】
本発明の課題は、回転筒とガイド筒との間の傾きを抑えながら確実に係合することができ、組み立て性もよいレンズ鏡筒を提供することである。
【０００６】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮影レンズ（１〜４）と、固定筒（１６）と、前記固定筒に対して少なくとも前記撮影レンズの光軸（Ｉ）に沿った方向に移動するガイド筒（１５）と、前記ガイド筒に対して前記光軸方向において規制されながら回転可能に係合し、前記固定筒に対して相対的に回転しながら前記光軸に沿った方向に前記ガイド筒と共に移動する回転筒（１４）と、を備え、前記ガイド筒と前記回転筒とは、前記光軸を中心として略対称に配置された２ヵ所の係止爪（１４ｄ）を有した第１の係合部（１４ｄ，１５ｆ）と、前記第１の係合部とは前記光軸方向に離れた位置にあって、前記光軸を中心として略対称に配置された２ヵ所の係止爪（１５ｄ）を有した第２の係合部（１５ｄ，１４ｆ）と、により相対的に回転可能に係合していること、を特徴とするレンズ鏡筒である。
【０００７】
請求項２の発明は、請求項１に記載のレンズ鏡筒において、前記第１の係合部（１４ｄ，１５ｆ）及び前記第２の係合部（１５ｄ，１４ｆ）の少なくとも一方は、バヨネット係合により係合していること、を特徴とするレンズ鏡筒である。
【０００８】
請求項３の発明は、請求項１又は請求項２に記載のレンズ鏡筒において、前記第１の係合部（１４ｄ，１５ｆ）と前記第２の係合部（１５ｄ，１４ｆ）とは、前記光軸を中心とする回転方向の位置がずれて配置されていること、を特徴とするレンズ鏡筒である。
【０００９】
請求項４の発明は、請求項１から請求項３までのいずれか１項に記載のレンズ鏡筒において、前記第１の係合部（１４ｄ，１５ｆ）と前記第２の係合部（１５ｄ，１４ｆ）とは、それぞれの係止爪を結ぶ線が略直交するように配置されていること、を特徴とするレンズ鏡筒である。
【００１０】
【発明の実施の形態】
以下、図面等を参照しながら、本発明の実施の形態について、更に詳しく説明する。
図１は、本発明によるレンズ鏡筒の第１実施形態を示す断面図である。
本実施形態におけるレンズ鏡筒は、第１レンズ群１，第２レンズ群２，第３レンズ群３，第４レンズ群４により形成される撮影光学系を有するズームレンズ鏡筒であり、フィルタ５，ＣＣＤ６，ＣＣＤ基準板７，電気基板８，１群筒９，前環１０，２群筒１１，シャッタユニット１２，３群筒１３，カム筒１４，直進筒１５，固定筒１６，モータ１７，４群筒１８，１群筒フォロアピン１９ａ，１９ｂ，ガイド軸２０，ベース板２１，２群筒フォロアピン２２等を備えている。
【００１１】
１群筒９は、第１レンズ群１を指示する部材であり、外周にフォロアピン１９ａ，１９ｂを有し、カム筒１４とカム結合している。また、１群筒９の被写体側には、前環１０がビス止めされている。
【００１２】
２群筒１１は、第２レンズ群２を支持し、ガイド軸２０によりガイドされて直進移動可能に設けられた部材であり、２群筒フォロアピン２２が植設されている。
【００１３】
シャッタユニット１２は、第２レンズ群２と第３レンズ群３との間において撮影光を透過／遮断する機構であり、３群筒１３に固定されている。
【００１４】
３群筒１３は、第３レンズ群３及びシャッタユニット１２を支持する部材である。３群筒１３は、直進筒１５に対して不図示の調整機構により光軸Ｉに沿う方向に移動可能であるが、調整後は、直進筒１５と一体となって移動する。
【００１５】
カム筒１４は、固定筒１６とヘリコイド嵌合し、不図示の駆動機構から回転力を得て回転しながら直進移動を行う回転筒である。カム筒１４の一端には、後述するバヨネット部を有し、直進筒１５とバヨネット係合し、光軸方向は一体となって移動する。
また、カム筒１４の内側には、１群カム溝１４ａ，１４ｂが設けられており、それぞれ、１群筒９の外側に固設された１群筒フォロアピン１９ａ，１９ｂと係合している。
さらに、カム筒１４には、不図示の２群カム溝が設けられており、２群筒フォロアピン２２と係合している。
【００１６】
直進筒１５は、カム筒１４の内周側に設けられ、固定筒１６に対して光軸に沿った方向に移動するガイド筒である。
直進筒１５は、外周に凸部１５ｇを２ヵ所有しており、固定筒１６の内周に設けられた直進ガイド溝（不図示）と係合しているため、カム筒１４がヘリコイドに添って回転しながら固軸方向に移動する際に、直進筒１５は、回転せず直進移動のみを行う。
また、直進筒１５は、１群筒９を直進移動のみ行わせるようにガイドする。
さらに、直進筒１５には、ガイド軸２０と、ガイド軸以外の他のガイド軸（不図示）が固設されている。ガイド軸２０は、２群筒１１を直進ガイドし、また、不図示のガイド軸は、２群筒１１の回転止めを行っている。
【００１７】
固定筒１６は、ベース板２１にビス止めされている。固定筒１６の内周には、ヘリコイド１６ａが形成されており、その内側にあるカム筒１４の外側にあるヘリコイド１４ｇとヘリコイド嵌合している。
【００１８】
モータ１７は、オートフォーカス駆動を行うときにレンズ群を駆動する駆動力を発生する駆動源であり、ベース板２１に固定されている。
【００１９】
４群筒１８は、第４レンズ群４を支持し、モータ１７により不図示の機構で光軸方向に移動しフォーカシングを行う。
【００２０】
１群筒フォロアピン１９ａ，１９ｂは、１群筒９に植設され、カム筒１４の１群カム溝１４ａ，１４ｂと係合していてカム筒１４の回転に伴い、カム溝に沿った移動を行う。
【００２１】
ベース板２１は、固定筒１６が固定される部材であり、さらに、ベース板２１には、フィルタ５が支持され、また、ベース板２１の背面側には、ＣＣＤ６，ＣＣＤ基準板７及び電気基板８が一体となって固設されている。
【００２２】
２群筒フォロアピン２２は、２群筒１１に植設され、カム筒１４のカム溝と係合していてカム筒１４の回転に伴いカム溝に沿った移動を行う。
【００２３】
次に、カム筒１４と直進筒１５とのバヨネット係合について説明を行う。
図２は、カム筒１４及び直進筒１５を示す斜視図である。なお、図２では、簡単のため、形状を一部省略して示している。
カム筒１４のバヨネット部には、略対角方向に２つの係止爪１４ｄと、係止爪１４ｄとは略９０°で公差する方向に２つの切り欠き部１４ｅとが設けられている。
また、直進筒１５のバヨネット部には、略対角方向に２つの切り欠き部１５ｃと、切り欠き部１５ｃとは略９０°で公差する方向に２つの係止爪１５ｄとが設けられている。
【００２４】
図２中の矢印の方向に直進筒１５をカム筒１４に挿入すると係止爪１４ｄは、切り欠き部１５ｃを通過し、また、係止爪１５ｄは、切り欠き部１４ｅを通過して、カム筒１４のフランジ面１４ｈと直進筒１５のフランジ面１５ｅとが接触する（図１の状態）。
この状態で直進筒１５に対してカム筒１４を回転させると係止爪１４ｄは、フランジ面１５ｆに係合する。また、係止爪１５ｄは、フランジ面１４ｆに係合する。したがって、直進筒１５とカム筒１４とは、光軸方向において一体となり外れなくなる。カメラの作動状態では、常にバヨネットは、係止された状態となっている。
【００２５】
このように、本実施形態では、光軸Ｉを中心として略対称に配置された２ヵ所の係止爪１４ｄを有した第１の係合部（１４ｄ，１５ｆ）と、第１の係合部とは光軸方向に離れた位置にあって、光軸を中心として略対称に配置された２ヵ所の係止爪１５ｄを有した第２の係合部（１５ｄ，１４ｆ）とを設けたので、常に４つの係止爪が係合しており、これらが略直交する方向に配置されていることから、カム筒１４に対する直進筒１５の倒れ（傾き）は、発生しにくくなっている。
なお、第１の係合部（１４ｄ，１５ｆ）と第２の係合部（１５ｄ，１４ｆ）とは、光軸Ｉに沿った方向に離れた位置に配置されていることにより、本実施形態のように複数の係合部を配置可能となっている。
【００２６】
本実施形態におけるレンズ鏡筒では、カム筒１４が回転と同時に光軸方向に移動すると、直進筒１５は、回転せずに光軸方向に移動する。
また、直進筒１５は、１群筒９，２群筒１１を直進ガイドしているので、カム筒１４が回転すると１群筒９，２群筒１１は、カムの作用で光軸方向に移動する。
さらに、３群筒１３は、直進筒１５と一体となって移動する。以上の動作により、ズーム動作が行われる。
さらにまた、４群筒１８は、不図示の機構で光軸方向に移動しフォーカシングを行う。
【００２７】
本実施形態では、光軸を中心として略対称に配置された２ヵ所の係止爪１４ｄとフランジ面１５ｅとにより形成される第１の係合部（１４ｄ，１５ｆ）と、第１の係合部とは光軸方向に離れた位置にあって、光軸を中心として略対称に配置された２ヵ所の係止爪１５ｄとフランジ面１４ｆとにより形成される第２の係合部（１５ｄ，１４ｆ）とを設けた。さらに、第１の係合部の２ヵ所の係止爪１４ｄを結ぶ線と第２の係合部の２ヵ所の係止爪１５ｄを結ぶ線とは、略直交するように配置されている。よって、回転筒とガイド筒との間の傾きを最小限に抑えると共に、カム筒１４と直進筒１５との回転角を大きく取ることができる。また、係合は、バヨネット方式であるので、組み立て性も良好にすることができる。
【００２８】
（変形形態）
以上説明した実施形態に限定されることなく、種々の変形や変更が可能であって、それらも本発明の均等の範囲内である。
例えば、本実施形態において、４群構成のレンズ鏡筒に本発明を適用した例を示したが、これに限らず、例えば、３群構成等、他のレンズ群構成であってもよい。
【００２９】
また、本実施形態において、第１の係合部及び第２の係合部は、いずれもバヨネット方式により係合を行う例を示したが、これに限らず、例えば、一方をスナップフィット方式により係合するようにしてもよい。
【００３０】
さらに、本実施形態において、第１の係合部及び第２の係合部は、レンズ鏡筒の後方（ＣＣＤに近い側）に設けられている例を示したが、これに限らず、例えば、一方又は両方をレンズ鏡筒の前方（被写体側）に設けてもよい。
【００３１】
【発明の効果】
以上詳しく説明したように、本発明によれば、以下の効果を奏することができる。
（１）ガイド筒と回転筒とは、光軸を中心として略対称に配置された２ヵ所の係止爪を有した第１の係合部と、第１の係合部とは光軸方向に離れた位置にあって、光軸を中心として略対称に配置された２ヵ所の係止爪を有した第２の係合部とにより相対的に回転可能に係合しているので、ガイド筒と回転筒との間の傾きを抑えながら確実に係合することができる。
【００３２】
（２）第１の係合部及び第２の係合部の少なくとも一方は、バヨネット係合により係合しているので、組み立て性を良好にすることができる。
【００３３】
（３）第１の係合部と第２の係合部とは、光軸を中心とする回転方向の位置がずれて配置されているので、ガイド筒と回転筒との間の傾きをより効果的に抑えることができる。
【００３４】
（４）第１の係合部と第２の係合部とは、それぞれの係止爪を結ぶ線が略直交するように配置されているので、ガイド筒と回転筒との間の傾きを最小限に抑えることができる。
【図面の簡単な説明】
【図１】本発明によるレンズ鏡筒の第１実施形態を示す断面図である。
【図２】カム筒１４及び直進筒１５を示す斜視図である。
【符号の説明】
１  第１レンズ群
２  第２レンズ群
３  第３レンズ群
４  第４レンズ群
５  フィルタ
６  ＣＣＤ
７  ＣＣＤ基準板
８  電気基板
９  １群筒
１０  前環
１１  ２群筒
１２  シャッタユニット
１３  ３群筒
１４  カム筒
１４ｄ  係止爪
１４ｅ  切り欠き部
１４ｆ，１４ｈ  フランジ面
１５  直進筒
１５ｃ  切り欠き部
１５ｄ  係止爪
１５ｅ，１５ｆ  フランジ面
１６  固定筒
１７  モータ
１８  ４群筒
１９ａ，１９ｂ  １群筒フォロアピン
２０  ガイド軸
２１  ベース板
２２  ２群筒フォロアピン
【図１】
2005017585.tif 000003
【図２】
2005017585.tif 000004